(57)【要約】【課題】  映像編集において、編集者が意図するシーンの開始時刻候補及び終了時刻候補となる箇所を探す作業を自動化した、編集者が意図するシーン区間を作成する技術を提供する。【解決手段】  編集対象映像のシーン区間を抽出する映像編集装置１であって、編集対象映像に対してインデックス作成処理を行った認識結果を入力する認識結果格納部１１、シーン区間の開始時刻候補、及び終了時刻候補の検索条件を入力する検索条件設定部１２、シーン区間の開始時刻候補、及び終了時刻候補を表示し、編集者の開始時刻の決定、及び終了時刻の決定を入力するシーン編集部１４、及び検索条件に基づいて認識結果から開示時刻候補を決定してシーン編集部１４に送信し、シーン編集部１４から決定した開示時刻を受信し検索条件に基づいて認識結果から終了時刻候補を決定してシーン編集部１４に送信する候補抽出部１５を有する。【選択図】  図１
2006311208.tif 000002
【特許請求の範囲】
【請求項１】
編集対象映像のシーン区間を抽出する映像編集装置であって、
編集対象映像に対してインデックス作成処理を行った認識結果を入力する認識結果格納部と、
シーン区間の開始時刻候補、及び終了時刻候補の検索条件を入力する検索条件設定部と、
シーン区間の開始時刻候補、及び終了時刻候補を表示し、編集者の開始時刻の決定、及び終了時刻の決定を入力するシーン編集部と、
前記検索条件に基づいて前記認識結果から開示時刻候補を決定して前記シーン編集部に送信し、当該シーン編集部から決定した開示時刻を受信し前記検索条件に基づいて前記認識結果から終了時刻候補を決定して前記シーン編集部に送信する候補抽出部と、を有することを特徴とする映像編集装置。
【請求項２】
前記検索条件は、
決定した開始時刻から規定した時間を経過した時刻を終了時刻候補とするもの、
検出されたシーン区間長の平均時間を算出し、決定した開始時刻から当該平均時間を経過した時刻を終了時刻候補とするもの、
及び、前記認識結果格納部に蓄積する認識結果における一定の区間の終了時刻を終了時刻候補とするもの、の中から選択されることを特徴とする請求項１に記載の映像編集装置。
【請求項３】
前記開始時刻候補、又は終了時刻候補は、前記検索条件により検出されたものの和集合、又は積集合であることを特徴とする請求項１又は２に記載の映像編集装置。
【請求項４】
前記候補抽出部は、
前記認識結果格納部から編集対象映像の番組識別子を取得し、
前記番組識別子に基づいて番組分野ＤＢから前記編集対象映像の分野情報を取得し、
前記分野情報に基づいて前記検索条件を決定する、ことを特徴とする請求項１〜３いずれかに記載の映像編集装置。
【請求項５】
編集対象映像のシーン区間を抽出する映像編集方法であって、
認識結果格納部が、編集対象映像に対してインデックス作成処理を行った認識結果を入力する認識結果格納ステップと、
検索条件設定部が、シーン区間の開始時刻候補、及び終了時刻候補の検索条件を入力する検索条件設定ステップと、
候補抽出部が、前記検索条件に基づいて前記認識結果から開示時刻候補を決定してシーン編集部に送信する開示時刻候補決定ステップと、
前記シーン編集部が、前記開始時刻候補を表示する開始時刻候補表示ステップと、
前記シーン編集部が、編集者の編集者の開始時刻の決定を入力する開始時刻決定ステップと、
前記候補抽出部が、前記開示時刻を受信し前記検索条件に基づいて前記認識結果から終了時刻候補を決定して前記シーン編集部に送信する終了時刻候補抽出ステップと、
前記シーン編集部が、前記終了時刻候補を表示する終了時刻候補表示ステップと、
前記シーン編集部が、編集者の編集者の終了時刻の決定を入力する終了時刻決定ステップと、を有することを特徴とする映像編集方法。
【請求項６】
前記検索条件は、
決定した開始時刻から規定した時間を経過した時刻を終了時刻候補とするもの、
検出されたシーン区間長の平均時間を算出し、決定した開始時刻から当該平均時間を経過した時刻を終了時刻候補とするもの、
及び、前記認識結果格納部に蓄積する認識結果における一定の区間の終了時刻を終了時刻候補とするもの、の中から選択されることを特徴とする請求項５に記載の映像編集方法。
【請求項７】
前記開始時刻候補、又は終了時刻候補は、前記検索条件により検出されたものの和集合、又は積集合であることを特徴とする請求項５又は６に記載の映像編集方法。
【請求項８】
前記候補抽出部が、
前記認識結果格納部から編集対象映像の番組識別子を取得し、
前記番組識別子に基づいて番組分野ＤＢから前記編集対象映像の分野情報を取得し、
前記分野情報に基づいて前記検索条件を決定する、検索条件決定ステップを有することを特徴とする請求項５〜７いずれかに記載の映像編集方法。
【請求項９】
請求項１〜８のいずれかに記載の映像編集装置又は映像編集方法を、コンピュータプログラムで記載してそれを実行可能にしたことを特徴とするプログラム。
【請求項１０】
請求項１〜８のいずれかに記載の映像編集装置又は映像編集方法を、コンピュータで実行可能に記載したプログラムを記録したことを特徴とする記録媒体。
【発明の詳細な説明】
【技術分野】
【０００１】
本発明は、テレビ番組映像、及びビデオ映像などといった映像の編集において、入力した映像から意図するシーン区間を編集者が抽出する場合のシーン区間の開始時刻、及び終了時刻の候補を自動生成する技術に関するものである。
【背景技術】
【０００２】
映像の編集を効率的に行うための映像編集機能において、映像の切り替わりや音声・音楽の有無などのメディア検出技術を用いて、入力した映像のインデックス作成処理を行い、画像認識の結果や音声認識の結果を矩形枠内に複数の矩形枠を並べて静止画像とともに表示し、映像編集者の作業を補助するための情報として使用する技術が存在する。
【０００３】
また、作成したインデックスを参考にして映像中の任意の区間をひとまとまりとしてトピックとし、作成したトピックの内容などを表す情報をトピックに付与することのできる映像編集機能を保持するソフトウェアや装置が開示されている(例えば、非特許文献１参照。)。
【０００４】
また、映像製作時の構成表を用いて編集者が意図するシーンの終了時刻を選択する方法が開示されている(例えば、特許文献１参照。)。
【特許文献１】特開２００４−１５９１０８号公報
【非特許文献１】ＮＴＴ技術ジャーナル、２００４年５月号、２２ページ、「映像、音声認識、言語処理の適用による経済化メタデータ生成技術」
【発明の開示】
【発明が解決しようとする課題】
【０００５】
従来技術では映像の切り替わりや音声・音楽の有無といった映像の特徴区間を自動で検出することが可能である。これは、検出される結果はそのシーンだけを見て編集者が意図する区間（例えば、野球のバッターがバッターボックスに入ってから打った結果１塁に走ったところまでなど）ではなく、映像の切り替わりや音声・音楽の有無といった認識項目のうち単一の検出結果によるシーン区間になっている。すなわち、編集者が意図するシーンを細分化したような検出結果が出力されている。
【０００６】
しかし、実際の編集において映像に情報を付与する場合は意味的まとまりを要求されていることが多く、従来技術では検出した結果を用いて編集者が意図するシーンを作成する方法が用いられている。
【０００７】
例えば、非特許文献１のような編集システムでは、検出結果一覧の画像を参考にして編集者がシーンの終了時刻付近であろうと思われるものを探し、微調整をするという作業を行っている。
【０００８】
そして、従来技術を用いた編集において編集者が意図するシーンを作成するにあたり、編集者が参考にする画像情報は開始時刻と終了時刻とで異なるものを用いている場合もある。
【０００９】
例えば野球中継の映像の場合、開始時刻は字幕認識で選手名が表示されているところを選択し、終了時刻はカメラワーク認識でカメラが大きく左右にふれているところなどで選択するという具合である。
【００１０】
さらに、上記方法を用いる場合、編集者は編集者が意図する区間の開始時刻又は終了時刻の候補となる箇所を探すために映像を何度も見直す作業、及び最終的に編集者が意図する区間の開始時刻又は終了時刻を決定するために編集者が決定した編集者が意図する区間の開始時刻又は終了時刻候補前後の映像を見直す作業が必要になる。
【００１１】
また、特許文献１のように映像製作時の構成表を用いて編集者が意図するシーンの終了時刻を選択する場合は、電子化された構成表が必要となる。しかし、すべての映像においてそのような構成表があるとは限らない。
【００１２】
本発明は編集者が意図するシーンの開始時刻候補及び終了時刻候補となる箇所を探す作業を自動化した、編集者が意図するシーン区間を作成する技術を提供することを目的としている。
【課題を解決するための手段】
【００１３】
そこで、上記課題を解決するために、請求項１に記載の発明は、編集対象映像のシーン区間を抽出する映像編集装置であって、編集対象映像に対してインデックス作成処理を行った認識結果を入力する認識結果格納部と、シーン区間の開始時刻候補、及び終了時刻候補の検索条件を入力する検索条件設定部と、シーン区間の開始時刻候補、及び終了時刻候補を表示し、編集者の開始時刻の決定、及び終了時刻の決定を入力するシーン編集部と、前記検索条件に基づいて前記認識結果から開示時刻候補を決定して前記シーン編集部に送信し、当該シーン編集部から決定した開示時刻を受信し前記検索条件に基づいて前記認識結果から終了時刻候補を決定して前記シーン編集部に送信する候補抽出部と、を有することを特徴とする。
【００１４】
また、請求項２に記載の発明は、前記検索条件は、決定した開始時刻から規定した時間を経過した時刻を終了時刻候補とするもの、検出されたシーン区間長の平均時間を算出し、決定した開始時刻から当該平均時間を経過した時刻を終了時刻候補とするもの、及び、前記認識結果格納部に蓄積する認識結果における一定の区間の終了時刻を終了時刻候補とするもの、の中から選択されることを特徴とする。
【００１５】
また、請求項３に記載の発明は、前記開始時刻候補、又は終了時刻候補は、前記検索条件により検出されたものの和集合、又は積集合であることを特徴とする。
【００１６】
また、請求項４に記載の発明は、前記候補抽出部は、前記認識結果格納部から編集対象映像の番組識別子を取得し、前記番組識別子に基づいて番組分野ＤＢから前記編集対象映像の分野情報を取得し、前記分野情報に基づいて前記検索条件を決定する、ことを特徴とする。なお、番組分野ＤＢは映像編集装置内に配置してもよいし、映像編集装置外に配置してもよい。
【００１７】
また、請求項５に記載の発明は、編集対象映像のシーン区間を抽出する映像編集方法であって、認識結果格納部が、編集対象映像に対してインデックス作成処理を行った認識結果を入力する認識結果格納ステップと、検索条件設定部が、シーン区間の開始時刻候補、及び終了時刻候補の検索条件を入力する検索条件設定ステップと、候補抽出部が、前記検索条件に基づいて前記認識結果から開示時刻候補を決定してシーン編集部に送信する開示時刻候補決定ステップと、前記シーン編集部が、前記開始時刻候補を表示する開始時刻候補表示ステップと、前記シーン編集部が、編集者の編集者の開始時刻の決定を入力する開始時刻決定ステップと、前記候補抽出部が、前記開示時刻を受信し前記検索条件に基づいて前記認識結果から終了時刻候補を決定して前記シーン編集部に送信する終了時刻候補抽出ステップと、前記シーン編集部が、前記終了時刻候補を表示する終了時刻候補表示ステップと、前記シーン編集部が、編集者の編集者の終了時刻の決定を入力する終了時刻決定ステップと、を有することを特徴とする。
【００１８】
また、請求項６に記載の発明は、前記検索条件は、決定した開始時刻から規定した時間を経過した時刻を終了時刻候補とするもの、検出されたシーン区間長の平均時間を算出し、決定した開始時刻から当該平均時間を経過した時刻を終了時刻候補とするもの、及び、前記認識結果格納部に蓄積する認識結果における一定の区間の終了時刻を終了時刻候補とするもの、の中から選択されることを特徴とする。
【００１９】
また、請求項７に記載の発明は、前記開始時刻候補、又は終了時刻候補は、前記検索条件により検出されたものの和集合、又は積集合であることを特徴とする。
【００２０】
また、請求項８に記載の発明は、前記候補抽出部が、前記認識結果格納部から編集対象映像の番組識別子を取得し、前記番組識別子に基づいて番組分野ＤＢから前記編集対象映像の分野情報を取得し、前記分野情報に基づいて前記検索条件を決定する、検索条件決定ステップを有することを特徴とする。
【００２１】
また、請求項９に記載の発明は、請求項１〜８のいずれかに記載の映像編集装置又は映像編集方法を、コンピュータプログラムで記載してそれを実行可能にしたことを特徴とする。
【００２２】
また、請求項１０に記載の発明は、請求項１〜８のいずれかに記載の映像編集装置又は映像編集方法を、コンピュータで実行可能に記載したプログラムを記録したことを特徴とする。
【００２３】
請求項１及び５に記載の発明では、編集対象映像の認識結果から、検索条件に基づいて自動的にシーン区間の開始時刻候補、及び終了時刻候補を選択し、表示する。
【００２４】
請求項２及び６に記載の発明では、検索条件に、決定した開始時刻から規定した時間を経過した時刻を終了時刻候補とするもの、検出されたシーン区間長の平均時間を算出し、決定した開始時刻から当該平均時間を経過した時刻を終了時刻候補とするもの、及び、認識結果格納部に蓄積する認識結果における一定の区間の終了時刻を終了時刻候補とするもの、の中から選択する。
【００２５】
請求項３及び７に記載の発明では、開始時刻候補、又は終了時刻候補は、検索条件により検出されたものの和集合、又は積集合とする。
【００２６】
請求項４及び８に記載の発明では、編集対象映像の番組識別子から分野情報を取得し、この分野情報に基づいて検索条件を決定する。なお、番組識別子としては、映像中に表示される番組タイトル等、映像の内容を示すものを用いることが可能である。
【００２７】
請求項９に記載の発明では、上記発明のプログラムを提供する。
【００２８】
請求項１０に記載の発明では、上記発明のプログラムを記録した記録媒体を提供する。
【発明の効果】
【００２９】
請求項１〜１０に記載の発明によれば、自動的にシーン区間の開始時刻候補及び終了時刻候補を選択して表示するので、編集者が開始時刻候補及び終了時刻候補となる箇所を探す作業を自動化することが可能となる。
【００３０】
さらに、請求項４及び８に記載の発明によれば、編集対象映像の内容に基づいて検索条件を自動的に決定することが可能となる。
【発明を実施するための最良の形態】
【００３１】
以下、図面を用いて本発明の実施形態を説明する。
【００３２】
(映像編集装置の構成)
図１は映像編集装置の構成図である。図１に示すように、映像編集装置１は、認識結果格納部１１、検索条件設定部１２、検索条件格納部１３、シーン編集部１４、候補抽出部１５、開始時刻候補格納部１６、終了時刻格納部１７、決定結果格納部１８、及び開始時刻決定値格納部１９、を有しており、候補抽出部１５は番組分野ＤＢ２０に接続している。
【００３３】
従来技術を用いて映像や音声等の検出を実行した結果情報を受信する認識結果格納部１１は、編集対象となる映像におけるシーンチェンジ、字幕検出、及び音声検出等のメディア検出情報を保持している。
【００３４】
検索条件設定部１２では編集者向けに検索条件を設定するインターフェースを提供している。また、検索条件設定部１２で設定した検索条件は検索条件格納部１３に保存され、必要なときに呼び出して適用される。設定する検索条件は入力映像（編集する映像）毎に設定が可能である。また、検索条件はシーンの開始時刻候補のみ、終了時刻候補のみ、及び開始時刻候補と終了時刻候補との組合せの設定が可能である。さらに、設定した検索条件にヒットしたものの和集合や積集合とすることも可能である。
【００３５】
シーン編集部１４では編集者向けに編集者が意図するシーンを定義するためのインターフェースを提供している。また、映像編集装置１に入力された映像を受信して、又は映像編集装置１に直接映像を入力して、編集補助用に表示可能としている。
【００３６】
候補抽出部１５では、シーン編集部１４において表示される編集対象映像から、編集者が意図するシーンの開始時刻候補を抽出し、開始時刻候補格納部１６へ格納する。また、シーン編集部１４に開始時刻決定の入力があった場合、これをきっかけにし、番組毎や番組ジャンル毎などで設定されている検索条件を適用して、認識結果格納部１１から検索条件に記述されている出力数だけ終了時刻候補を出力し終了時刻候補格納部１７に格納する。検索条件設定にあたっては、画像認識において番組タイトル（番組識別子）を検出しておき、その検出結果を元に番組分野ＤＢ２０から番組分野情報を取得して設定する検索条件を決定する方法、又は編集者が手動で番組タイトル（番組識別子）若しくは番組ジャンル（番組分野）を入力し、その入力値から設定する検索条件を決定する方法を用い自動で設定する方法がある。
【００３７】
決定結果格納部１８では、シーン編集部１４で編集された編集者が意図するシーン情報を格納する。そして、これをシーン編集部１４に表示させること、他の装置に出力して当該装置で表示させること、及び記録媒体に記録させること等が可能である。
【００３８】
(編集者作業例)
ここで、編集者の作業の例を説明する。
【００３９】
なお、認識結果格納部１１には認識結果が格納されており、その結果に開始時刻候補抽出検索条件を適用することで候補抽出部１５において開始時刻を抽出する。この開始時刻を開始時刻候補格納部１６に開始時刻候補として格納し、その開始時刻候補に対して終了時刻候補検索条件を適用することで候補抽出部１５において終了時刻を抽出する。この結果が終了時刻候補格納部１７に格納されている、という状況であるものとする。
【００４０】
編集者はシーン編集部１４に表示される開始時刻候補一覧から開始時刻候補を決定して選択し、その選択した開始時刻候補付近の映像をシーン編集部１４に入力されて表示される映像を見て確認する。選択した開始時刻について微調整が必要な場合には、微調整を行った結果をシーン編集部１４に入力する。シーン編集部１４は微調整を行った結果を開始時刻決定値格納部１９に保存する。
【００４１】
開始時刻決定値格納部１９に開始時刻候補が格納されたことをきっかけとして、認識結果格納部１１に格納されている認識結果に対して終了時刻候補検索条件を再適用して、候補抽出部１４が終了時刻候補を抽出する。この抽出結果は終了時刻候補格納部１７に格納する。
【００４２】
編集者はシーン編集部１４に表示される終了時刻候補一覧から終了時刻候補を決定して選択し、その選択した終了時刻候補付近の映像をシーン編集部１４に入力されて表示される映像を見て確認する。選択した終了時刻について微調整が必要な場合には、微調整を行った結果をシーン編集部１４に入力する。シーン編集部１４は微調整を行った結果を保存し、事前に決定してある開始時刻から当該決定した終了時刻までを編集者が意図するシーンとして決定結果格納部１８保存する。
【００４３】
ここで図２に従来技術を用いたシーン決定、及び映像編集装置１を用いたシーン決定の作業者が行う操作のフロー図を示す。
【００４４】
図２に示すように、従来技術では、画像、音声の認識結果を一覧した情報等、及び映像を見て、編集者が意図するシーンの開始時刻候補となる部分を検索するという作業(Ｓ１１)、及び決定した開始時刻より後の映像を確認して編集者が意図するシーンの終了時刻候補となる部分を検索するという作業(Ｓ１４)が必要である。
【００４５】
一方、映像編集装置１を用いた場合には、開始時刻候補格納部１６に格納されている開始時刻候補一覧、及び終了時刻候補格納部１６に格納されている終了時刻候補一覧がシーン編集部１４に表示されるので、作業者は候補検索を行わなくてもよい。
【００４６】
(適用例１)
本発明を野球中継に適用した例について説明する。
【００４７】
ここでは、野球中継において各バッターの打席（例えば、バッターがバッターボックスに入ってから、打って結果がわかるところまで）をひとつの編集者が意図するシーンとする場合を考える。
【００４８】
字幕情報のある映像区間を編集者が意図するシーン候補として利用し処理を行った場合は、選手名の字幕が出ている時間のみのシーンを抽出することになる。多くの野球中継の場合、選手名の字幕が出ているのはバッターが打つ前の十数秒間であり、検出される区間にバッターが打ったシーンは含まれない。したがって、この抽出したシーンはひとつの編集者が意図するシーンとはならない。
【００４９】
また、カメラワークのある映像区間を編集者が意図するシーン候補として利用して処理を行った場合は、打って結果がわかるシーンを抽出することができる。しかし、このシーンにはバッターの打つ前の部分が含まれない。したがって、この抽出したシーンはひとつの編集者が意図するシーンとはならない。
【００５０】
一方、図１に記載の映像編集装置１を利用して、開始時刻候補検出検索条件として選手名の表示される字幕情報検出を用い、終了時刻候補検出検索条件としてカメラワーク検出及び開始時刻からの固定時間６０秒設定の２つの候補を提示するように定義した場合には、抽出されるシーンはバッターがバッターボックスに入ったときに出る選手名の字幕情報の時刻からボールが飛んでカメラが追ったシーンまで、及びバッターボックスに入ってから６０秒後となる（６０秒という設定は三振した場合などでカメラワークが検出されなかった場合を想定している。なぜならば、野球の場合ピッチャーが構えてから打ち終わるまでに約１５秒程度でありボールのカウントなどを考慮しているからである。）。
【００５１】
この場合、バッターがボールを打ってヒット等を打った場合はカメラワークを終了時刻候補検出検索条件としたシーンが活用でき、また三振等、バッターがボールを打たず、ボールが飛ばなかった場合は６０秒の固定時間を終了点検出候補検索条件としたシーンが活用でき、ほぼ編集者が意図する意図的まとまりのある区間を抽出することができる。
【００５２】
また、この６０秒という数値を実際の映像を見て測定せずに、事前に作成されたシーン時間の平均時間とすることも可能である。その場合は固定時刻を調査する作業を削減することができる。
【００５３】
ここで編集者が意図するシーンとして、開始時刻から固定時刻を経過した時刻を採用する方法を図３に示す。図３に示すように、固定時刻を２０秒とすると、開始時刻００：２３：００から２０秒後の００：２３：２０が終了時刻候補となる。
【００５４】
また、事前に作成した編集者が意図するシーン区間長の平均を採用する方法を図４に示す。図４に示すように、事前に作成した二つの確定シーン区間の区間長が２０秒、及び３０秒だったときは、これらの平均区間長２５秒を用いて、開始時刻００：２７：００から２５秒後の００：２７：２５が終了時刻候補となる。
【００５５】
また、映像特徴として指定したメディア認識結果区間の終了時刻を採用する方法を図５に示す。ここでは設定値として、カメラワーク検出を行うこととし、候補出力数は２としている。図５に示すように、一番目のカメラ検出区間の終了時刻、及び二番目のカメラ検出区間の終了時刻が終了時刻候補となる。
【００５６】
(適用例２)
本発明をニュースに適用した例について説明する。
【００５７】
ここでは、ニュースにおいてニューストピックをひとつの編集者が意図するシーンとする場合を考える。
【００５８】
図１に記載の映像編集装置１を利用して、開始時刻候補検出検索条件としてヘッドラインテロップ（画面に表示されるニューストピックのタイトル）を検出し、終了時刻検出候補の検索条件として一つ後のニューストピックのヘッドラインテロップ検出結果マイナス１秒を検出するように設定したものとする。このような設定において抽出処理を行うと、ニュースのタイトルが表示されてから次のニュースのタイトルが表示される直前までが抽出されることになる。また、ニュースの場合、ニュースタイトル及び効果音が同時に流れる場合もあるため、ヘッドラインテロップ検出ではなく効果音検出を利用しても同様の結果が得られる。
【００５９】
ここで映像特徴として指定したメディア認識結果区間の終了時刻を採用する方法を図６に示す。ここでは出演する話者の認識結果を利用し、開始時刻に含まれている話者すべての出演区間を抽出することとし、出力数は３としている。図６に示すように、開始時刻には話者として出演者Ａ、及び出演者Ｂが含まれている。すると、出演者Ａの開始時刻からの出演が終了した時刻、出演者Ｂの開始時刻からの出演が終了した時刻、及び出演者Ａの二回目の出演が終了した時刻の三つが終了時刻候補とされる。なお、出演者Ｃは開示時刻には含まれていないので、出演者Ｃの出演が終了した時刻は終了時刻候補とならない。
【００６０】
(適用検索条件の決定例)
適用検索条件を決定する例（番組のタイトルを画像認識した場合）について説明する。
【００６１】
字幕認識の技術を用いて映像中にある番組のタイトル等を認識した結果を蓄積する認識結果格納部１１から候補抽出手段１５がタイトル等を取得し、その文字情報をキーにして、番組分野ＤＢ２０から番組の分野情報（例えばスポーツ（野球））を取得する。その取得した情報及び番組タイトルに該当する検索条件を検索条件格納部１３から出力し適用する。なお、番組分野ＤＢ２０はＥＰＧ、ｉＥＰＧ、又は手作業による作成などの方法を使用して作成することが可能である。なお、番組分野ＤＢの例を図７に示す。
【００６２】
(表示方法)
シーン開始時刻候補、及び終了時刻候補の表示方法の例について説明する。
【００６３】
シーンの開始時刻候補、及び終了時刻候補はそれぞれに対して複数候補が検出される可能性がある。その場合の表示方法としては、まず、編集者が基準とするものを開始時刻候補にするか、又は終了時刻候補にするかを決定する。
【００６４】
次に、決定した候補（開始時刻又は終了時刻）の一検出結果に対して一つ又は複数の結果が検出される。編集画面への表示方法としては、検索条件設定とともに規定した優先順位順又は時系列順に一覧できるように表示する方法、及び検索条件設定とともに規定した優先順位の順又は時系列順にひとつずつを表示し編集者の操作により次候補を表示する方法がある。
【００６５】
例えば、シーンの開始時刻を基準として表示することを編集者が決定し、表示は一候補ずつと決定した場合、ひとつの開始時刻候補に対してひとつ又は複数の終了時刻候補が検出され、検索条件で指定した優先度が高いものを最初に表示する。複数候補がある場合は「次へボタン」等が表示され、編集者が押下すると次候補が表示される。
【００６６】
なお、上記実施形態において、映像編集装置は、例えば、映像編集装置を構成するコンピュータ装置が有するＣＰＵによって実現され、候補抽出処理などをアプリケーションプログラムとして搭載することができる。
【００６７】
また、候補抽出処理などで行った処理結果、計算結果、当該処理に必要な情報等のデータを内部メモリや外部記憶装置等に書き込み・読み出しができるようにしてもよい。
【００６８】
また、映像編集装置の機能を実現するソフトウェアのプログラムコードを記録した記録媒体を、システム、又は装置に供給し、そのシステム、又は装置のＣＰＵ（ＭＰＵ）が記憶媒体に格納されたプログラムコードを読み出し実行することも可能である。この場合、記憶媒体から読み出されたプログラムコード自体が上記実施形態の機能を実現することになり、このプログラムコードを記憶した記憶媒体としては、例えば、ＣＤ−ＲＯＭ、ＤＶＤ−ＲＯＭ、ＣＤ−Ｒ、ＣＤ−ＲＷ、ＭＯ、及びＨＤＤ等がある。
【図面の簡単な説明】
【００６９】
【図１】映像編集装置の構成図。
【図２】従来技術及び映像編集装置の操作フロー図。
【図３】開始時刻から固定時刻を経過した時刻を採用する方法を示す図。
【図４】事前に作成した編集者が意図するシーン区間長の平均を採用する方法を示す図。
【図５】映像特徴として指定したメディア認識結果区間の終了時刻を採用する方法を示す図。
【図６】映像特徴として指定したメディア認識結果区間の終了時刻を採用する方法を示す図。
【図７】番組分野ＤＢの構成例。
【符号の説明】
【００７０】
１…映像編集装置
１１…認識結果格納部
１２…検索条件設定部
１３…検索条件格納部
１４…シーン編集部
１５…候補抽出部
１６…開始時刻候補格納部
１７…終了時刻候補格納部
１８…決定結果格納部
１９…開始時刻決定値格納部
２０…番組分野ＤＢ
【図１】
2006311208.tif 000003
【図２】
2006311208.tif 000004
【図３】
2006311208.tif 000005
【図４】
2006311208.tif 000006
【図５】
2006311208.tif 000007
【図６】
2006311208.tif 000008
【図７】
2006311208.tif 000009